(57)【特許請求の範囲】
【請求項１】
商品の購入希望情報とオークションへの入札情報を入力する購入希望者端末と、
前記オークションへの出品商品情報を入力する出品希望者端末と、
前記購入希望者端末からの前記購入希望情報、入札情報、および前記出品希望者端末からの前記出品商品情報を登録するオークション管理サーバと、
前記購入希望者端末，前記出品希望者端末及び前記オークション管理サーバを接続するネットワークとを備えるオークション情報提供システムにおいて、
前記購入希望者端末が、
商品の商品名と該商品の購入希望価格とを含む前記購入希望情報を事前登録する為に前記オークション管理サーバへ送信する購入希望情報送信手段と、
前記入札情報を前記オークション管理サーバへ送信する入札情報送信手段を備え、
前記出品希望者端末が、
出品を希望する商品についての検索希望商品情報を前記オークション管理サーバへ送信する検索希望商品情報送信手段と、
前記オークション管理サーバから送信された前記検索希望商品情報についての購入希望者人数及び／又は購入希望価格を受信する検索結果受信手段と、
出品する商品についての商品名を含む出品商品情報を前記オークションサーバへ送信する出品商品情報送信手段を備え、
前記オークション管理サーバが、
購入希望商品登録データベースと、
出品商品登録データベースと、
入札情報登録データベースと、
前記購入希望者端末から送信された前記購入希望情報を受信して前記購入希望登録データベースに事前登録する購入希望情報受信登録手段と、
前記出品希望端末から送信された前記検索希望商品情報を受信する検索希望商品情報受信手段と、
受信した前記検索希望商品情報にもとづいて前記購入希望商品登録データベースから前記購入希望情報を読み出し、商品名が前記検索希望商品情報と一致する前記購入希望情報を検索し、前記出品を希望する商品についての購入希望者人数及び／又は購入希望価格を取得して前記出品希望者端末へ送信する検索結果送信手段と、
前記出品希望者端末から前記出品商品情報を受信して登録する出品商品情報受信登録手段と、
該登録後、前記購入希望者端末から前記入札情報を受信して前記入札情報登録データベースに登録する入札情報受信登録手段とを備えることを特徴とするオークション情報提供システム。
【請求項２】
前記購入希望情報は、前記購入希望情報を送信する当該購入希望者端末の当該利用者のユーザIDを含み、
前記オークション管理サーバが、
利用者のユーザIDと当該利用者の購入希望者端末に対する通知先情報を含む利用者情報を記憶する利用者情報管理データベースと、
前記購入希望情報をネットワーク上に提供する購入希望情報提供手段と、
前記購入希望情報に一致した商品が前記出品希望者端末から前記出品商品情報として前記出品登録データベースに登録された場合に、前記出品登録データベースから前記出品商品情報を読み出し、前記出品希望者端末から受信した前記出品商品情報に含まれる前記商品名に基づいて、商品名が一致する前記購入希望情報に含まれる前記ユーザIDを検索するユーザID検索手段と、
利用者情報管理データベースから前記利用者情報を読み出し、検索された前記ユーザIDに基づいて、当該ユーザIDに対応する当該利用者の購入希望者端末への通知情報を検索する通知先検索手段と、
検索された前記通知先情報に基づいて、前記購入希望者端末に前記購入希望情報に対応した商品が出品された旨を通知する通知手段とをさらに備える
ことを特徴とする請求項１記載のオークション情報提供システム。
【請求項３】
商品の購入希望情報を事前登録する購入希望商品登録データベースと、前記オークションへの出品商品情報を登録する出品商品登録データベースと、入札情報を登録する入札情報登録データベースとを有し、商品の購入希望情報とオークションへの入札情報を入力する購入希望者端末と、前記オークションへの出品商品情報を入力する出品希望者端末とにネットワークを介して接続されるオークション管理サーバにおいて、
購入希望者端末から、商品の商品名と該商品の購入希望価格とを含む前記購入希望情報を受信して購入希望商品登録データベースに事前登録する購入希望情報受信登録手段と、
出品希望者端末から、出品を希望する商品についての検索希望商品情報を受信すると、前記購入希望商品登録データベースから前記購入希望情報を読み出し、前記検索希望商品情報にもとづいて商品名が前記検索希望商品情報と一致する前記購入希望情報を検索し、前記出品を希望する商品についての購入希望者人数及び／又は購入希望価格を取得して前記出品希望者端末へ送信する検索結果送信手段と、
前記出品希望者端末から商品名を含む前記出品商品情報を受信して前期出品商品登録データベースに登録する出品商品情報受信登録手段と、
該登録後、前記購入希望者端末から前記入札情報を受信して前記入札情報登録データベースに登録する入札情報受信登録手段とを備える
ことを特徴とするオークション管理サーバ。
【請求項４】
前記購入希望情報は、前記購入希望情報を送信する当該購入希望者端末の当該利用者のユーザIDを含み、
利用者のユーザIDと当該利用者の購入希望者端末に対する通知先情報を含む利用者情報を記憶する利用者情報管理データベースと、
前記購入希望情報をネットワーク上に提供する購入希望者情報提供手段と、
前記購入希望情報に一致した商品が前記出品希望者端末から前記出品商品情報として前記出品商品登録データベースに登録された場合に、前記出品登録データベースから前記出品商品情報を読み出し、前記出品希望者端末から受信した前記出品商品情報に含まれる前記商品名に基づいて、商品名が一致する前記購入希望情報に含まれる前記ユーザIDを検索するユーザID検索手段と、
利用者情報管理データベースから前記利用者情報を読み出し、検索された前記ユーザIDに基づいて、当該ユーザIDに対応する当該利用者の購入希望者端末への通知先情報を検索する通知先検索手段と、
検索された前記通知先情報に基づいて、前記購入希望者端末に前記購入希望情報に対応した商品が出品された旨を通知する通知手段とをさらに備える
ことを特徴とする請求項３記載のオークション管理サーバ。
【請求項５】
購入希望情報と入札情報を入力する購入希望者端末と、出品商品情報を入力する出品希望者端末と、商品の購入希望情報を事前登録する購入希望商品登録データベースと、前記オークションへの出品商品情報を登録する出品商品登録データベースと、入札情報を登録する入札情報登録データベースとを有し、前記購入希望者端末からの前記購入希望情報、入札情報、および前記出品希望者端末からの前記出品商品情報を登録するオークション管理サーバとの間における通信回線を介したオークション情報提供方法において、
前記購入希望者端末が、商品の商品名と該商品の購入希望価格とを含む購入希望情報を入力してオークション管理サーバへ送信し、
前記オークション管理サーバが、
前記購入希望者端末からの前記購入希望情報を購入希望商品登録データベースに事前登録し、
前記出品希望者端末が、出品を希望する商品についての検索希望商品情報を前記オークション管理サーバへ送信し、
前記オークション管理サーバが、
前記購入希望商品登録データベースから前記購入希望情報を読み出し、前記検索希望商品情報にもとづいて、商品名が前記検索希望商品情報と一致する前記購入希望情報を検索し、前記出品を希望する商品についての購入希望者人数及び／又は購入希望価格を取得して前記出品希望者端末へ送信し、
前記出品希望者端末が、
送信された前記出品を希望する商品についての購入希望者人数及び／又は購入希望価格を受信し、
商品名を含む前記出品商品情報を前記オークション管理サーバに送信し、
前記出品希望者端末から前記出品商品情報を受信して出品商品登録データベースに登録し、
前記購入希望者端末が、前記入札情報を前記オークション管理サーバに送信し、
該登録後、前記購入者希望端末から前記入札情報を受信して入札情報登録データベースに登録する
ことを特徴とするオークション情報提供方法。
【請求項６】
前記購入希望情報は、前記購入希望情報を送信する当該購入希望者端末の当該利用者のユーザIDを含み、
前記オークション管理サーバが、利用者のユーザIDと当該利用者の購入希望者端末に対する通知先情報を含む利用者情報を記憶する利用者情報管理データベースを備え、
前記購入希望情報をネットワーク上に提供すると共に、前記購入希望情報に一致した商品が前記出品希望者端末から出品商品情報として出品商品登録データベースに登録された場合に、前記出品登録データベースから前記出品商品情報を読み出し、前記出品希望者端末から受信した前記出品商品情報に含まれる前記商品名に基づいて、商品名が一致する前記購入希望情報に含まれる前記ユーザIDを検索し、
利用者情報管理データベースから前記利用者情報を読み出し、検索された前記ユーザIDに基づいて、当該ユーザIDに対応する当該利用者の購入希望者端末への通知先情報を検索し、
検索された前記通知先情報に基づいて、前記購入希望者端末に前記購入希望情報に対応した商品が出品された旨を通知する
ことを特徴とする請求項５記載のオークション情報提供方法。
【発明の詳細な説明】
【０００１】
【発明の属する技術分野】
本発明は、オークション情報提供システムおよびオークション情報提供方法に関し、特に購入希望者は購入希望品が出品されているオークション開催情報を確実に入手可能であると共に、販売希望者は自分の出品物の購入希望者がいることの情報を確実に入手可能なオークション情報提供システムおよびオークション情報提供方法に関する。
【０００２】
【従来の技術】
従来、インターネット等のネットワークを用いて、オークションを行う方法においては、出品者が一方的に売却希望商品をオークション開催ホームページに登録し、入札参加者は希望する商品を自分で検索して入札に参加する方式となっている。
【０００３】
【発明が解決しようとする課題】
しかしながら、この従来技術には、次のような問題点があった。
即ち、オークションで商品を購入したい利用者は、自分が購入したい商品の出品の有無に拘らずオークションが開催されているホームページにアクセスして商品の検索を実施しなければならず、時間的に非効率であるだけでなく、アクセスに対してかかる通信費用なども無駄となるということである。
また、出品者は自分が出品したい商品に対して、購入希望者がいるいないに拘らず、出品しなければならず、入札参加者が１人もいない場合も多く見受けられると言うことである。
【０００４】
そこで本発明の課題は、購入希望者は確実に購入希望品が出品されているオークション開催情報を入手可能であると共に、販売希望者は自分の出品物の購入希望者がいることの情報を確実に入手可能なオークション情報提供システムおよびオークション情報提供方法を提供することである。
【０００５】
【課題を解決するための手段】
前記課題を解決するために本発明は、オークションでの商品の購入希望情報を事前登録するために入力する購入希望者端末と、
前記オークションへの出品商品情報を登録するために入力する出品希望者端末と、
前記購入希望者端末からの前記購入希望情報および前記出品希望者端末からの前記出品商品情報を登録するオークション管理サーバと、
前記購入希望者端末，前記出品希望者端末及び前記オークション管理サーバを接続するネットワークとを備えるオークション情報提供システムであって、
前記出品希望者端末が、出品を希望する商品についての検索希望商品情報を前記オークション管理サーバへ送信し、
前記オークション管理サーバが、前記検索希望商品情報にもとづいて前記購入希望情報を検索し、前記出品を希望する商品についての購入希望者人数及び／又は購入希望価格を取得して前記出品希望者端末へ送信することを特徴とする。
【０００６】
このようにすれば、購入希望者は検索をすること無しに購入希望品が出品されているオークション開催情報を入手でき、販売希望者は自分の出品物の購入希望者がいることを確認後、そのオークションに出品することができ、無駄な出品をすることが無くなる。
【０００７】
【発明の実施の形態】
以下、本発明を図示の実施例（オークション情報提供システム）に基づいて説明する。
（１）本発明の概要説明
本発明の実施例の説明に先立ち、本発明の概要を実施例のシステム構成図（図１）を借用して説明する。
本発明は、オークションで商品の購入を希望する利用者が、ユーザ端末からオークション主催者の管理サーバに購入したい商品の情報を、ネットワークを介して登録することにより、購入希望商品が出品された際、その情報をオークション主催者より自動的に提供してもらうことにより、必要なタイミングでオークションに参加することができるオークション情報提供ビジネスモデル及びオークション情報提供ビジネスの方法を提供するものである。
【０００８】
図１において、オークション参加希望者は、自分のユーザ端末１０Ａを用いて、自分の電子メールアドレス，名前情報を、ネットワークＮＷを介してオークションシステム管理サーバ２０に送信する。オークションシステム管理サーバ２０は、オークション参加希望者の電子メールアドレス，名前情報を受け取ると、オークション参加用のユーザＩＤ等の利用者認証情報を発行し、ユーザ端末１０Ａに返信する。
【０００９】
次に、オークションで商品の購入を希望する利用者は、自分のユーザ端末１０Ｂから、利用者認証情報を用いて、ネットワークＮＷを介してオークションシステム管理サーバ２０にアクセスし、自分が購入したい商品の情報（商品名，購入希望価格等）を送信する。
次に、オークションで商品の売却を希望する利用者は、自分のユーザ端末１０Ｃから、利用者認証情報を用いて、ネットワークＮＷを介してオークションシステム管理サーバ２０にアクセスし、自分が売却したい商品の情報（商品名，売却希望価格等）を送信する。さらに、オークションで商品の売却を希望する利用者は、オークションで売却したい自分の商品について購入希望登録情報を検索することにより、事前に商品の購入希望人数及び希望価格帯（最低価格及び最高価格）情報を得ることができる。
【００１０】
オークションシステム管理サーバ２０はオークション出品商品情報と購入希望商品情報を照合検索し、オークション出品商品情報と購入希望商品情報が一致する場合には、購入希望登録を行った利用者に対して電子メールで出品情報を自動的に通知することにより購入希望者はオークションに的確なタイミングで参加することができる。
【００１１】
（２）第1実施例
図１は本実施例のシステム構成図、図２は本実施例で使用するユーザ端末の機能ブロック図である。
図１を参照すると、本実施例は、オークションの利用者登録を希望する利用者（利用登録申請者）が使用するユーザ端末１０Ａと、オークションで商品購入登録を希望する購入希望者（購入希望商品申請者）が使用するユーザ端末１０Ｂと、オークションに商品の出品登録を希望する商品出品希望者（出品商品情報登録申請者）が使用するユーザ端末１０Ｃと、オークションで商品の入札に参加する入札希望者（入札参加希望者）が使用するユーザ端末１０Ｄと、オークション主催者により使用されるオークションシステム管理サーバ２０と、これらを相互に接続するインターネット等の通信ネットワークＮＷとから構成されている。なお、何れのユーザ端末１０Ａ〜１０Ｄも、利用者登録，購入希望商品登録，商品出品登録，入札参加の機能をそれぞれ有している。
【００１２】
ユーザ端末１０Ａ〜１０Ｄは、パーソナルコンピュータ等の情報処理装置である。ユーザ端末１０Ａ〜１０Ｄは、図２に示すように、オークションシステム管理サーバ２０がネットワークＮＷ上に提供しているオークション情報にアクセスし(オークション情報アクセス機能１０ａ)、該オークション情報を画面に表示する機能（オークション情報表示機能１０ｂ）を備えている。オークション情報としては、例えばパーソナルコンピュータ，ソフトウェア，自動車，家具等の製品に関する情報であり、製品の名称，価格，製品の画像データ，製品の説明等の情報を含む。
ユーザ端末１０Ａ〜１０Ｄは、さらに、オークションに参加するための利用者登録申請機能１０ｃ，購入希望商品情報登録機能１０ｄ，購入希望商品登録情報検索機能１０ｅ，出品商品情報登録機能１０ｆ，入札参加機能１０ｇをそれぞれ備えている。
【００１３】
利用者登録申請機能１０ｃは、ユーザ端末１０Ａから、オークション参加するための利用者情報を、ネットワークＮＷを介してオークションシステム管理サーバ２０に送信する機能及びオークションシステム管理サーバ２０より返信される利用者認証情報を受信する機能を有す。利用者情報としては自分の電子メールアドレス，名前等の個人情報を含む。利用者認証情報としてはオークション参加用ＩＤ，パスワード等の情報を含む。
購入希望商品情報登録機能１０ｄは、ユーザ端末１０Ｂから、利用者認証情報及び購入希望商品情報を、ネットワークＮＷを介してオークションシステム管理サーバ２０に送信する機能を有す。購入希望商品情報としては、オークションで購入したい製品に関する情報であり、製品の名称，購入希望価格等の情報を含む。
【００１４】
購入希望商品登録情報検索機能１０ｅは、ユーザ端末１０Ｃから、利用者認証情報及び検索対象商品情報を、ネットワークＮＷを介してオークションシステム管理サーバ２０に送信する機能を有す。検索対象商品情報としては、製品の名称等のキーワード情報を含む。
出品商品情報登録機能１０ｆは、ユーザ端末１０Ｃから、利用者認証情報及びオークションに出品希望商品の情報を、ネットワークＮＷを介してオークションシステム管理サーバ２０に送信する機能を有す。出品希望商品の情報としては、オークションで売却したい製品に関する情報であり、製品の名称，入札開始価格，売却希望最低価格，製品の画像データ，製品の説明等の情報を含む。
【００１５】
入札参加機能１０ｇは、ユーザ端末１０Ｄから、利用者認証情報及び購入希望商品に対する入札情報を、ネットワークＮＷを介してオークションシステム管理サーバ２０に送信する機能を有す。入札情報としては、購入希望製品に対する購入価格等の情報を含む。
オークションシステム管理サーバ２０は、オークション主催者により使用され、ワークステーション・サーバ等の情報処理装置によって構成される。
【００１６】
オークションシステム管理サーバ２０は、利用者情報未登録のオークション参加希望者の操作によりユーザ端末１０Ａが送出した利用者情報を受け取り、利用者情報を利用者情報管理データベース２６で管理し、利用者認証情報を生成してユーザ端末１０Ａに送信する機能を備えている。利用者認証情報は、オークション参加者を識別するための情報であり、利用者登録申請者毎に固有の情報として生成される。
オークションシステム管理サーバ２０は、さらに、利用者登録申請済みの商品購入希望者の操作によりユーザ端末１０Ｂが送出した利用者認証情報及び購入希望商品情報を受け取り、購入希望商品情報を購入希望商品登録データベース２８で管理し、購入希望商品情報登録完了情報を生成してユーザ端末１０Ｂに送信する機能を備えている。オークションシステム管理サーバ２０は、さらに、利用者登録申請済みの出品希望者の操作によりユーザ端末１０Ｃが送出した利用者認証情報及び出品希望商品情報を受け取り、出品希望商品情報を出品商品登録データベース２８で管理し、出品商品情報登録完了情報を生成してユーザ端末１０Ｃに送信する機能を備えている。
【００１７】
オークションシステム管理サーバ２０は、さらに、利用者登録申請済みの出品希望者の操作によりユーザ端末１０Ｃが送出した利用者認証情報及びオークションで売却したい商品に関する検索情報を受け取り、購入希望商品登録データベースを検索して、購入希望人数及び希望価格帯（最低価格及び最高価格）情報を生成してユーザ端末１０Ｃに送信する機能を備えている。
オークションシステム管理サーバ２０は、さらに、出品商品情報登録された商品情報と購入希望商品情報登録されている商品情報とを比較検索し、両者の条件が合致した場合には購入希望商品情報を登録した利用者に対して希望商品の出品情報を生成して、利用者登録の際に申請された電子メールアドレスを宛先として購入希望商品情報登録を実施したユーザ端末１０Ｂの利用者に電子メールを送信する機能を備えている。
【００１８】
オークションシステム管理サーバ２０は、さらに、利用者登録申請済みのオークション参加希望者の操作によりユーザ端末１０Ｄが送出した利用者認証情報及び入札情報を受け取り、入札情報を入札情報登録データベース２９で管理し、購入希望商品に対する価格及び権利取得者の制御を行い、最終落札者が決定すると落札情報を生成して、落札者及び出品者の両者に対して利用者登録の際に申請された電子メールアドレスを宛先として電子メールを送信する機能を備えている。落札情報は、出品者と出品商品及び落札者と落札価格とを識別するための情報であり、一度の落札毎に固有の情報として生成される。
【００１９】
次に、図１〜図５を参照して本実施例の動作について詳細に説明する。図３はオークションへの参加を希望する利用者のフローチャート、図４はオークションへ商品の出品を希望する利用者のフローチャート、図５は会員専用のオークション参加画面である。なお、以降の説明では、ネットワークＮＷはインターネットであるとする。
図３を参照すると、オークションへの参加を希望する利用者は、自分のユーザ端末１０Ａを介して、オークション開催者がインターネットＮＷ上に開設しているオークションホームページにアクセスして利用者登録を申請する（ステップＡ１）。この際、利用者は利用者情報として自分の電子メールアドレスと名前情報とをオークションシステム管理サーバ２０に送信する（ステップＡ２）。これに応答して、オークションシステム管理サーバ２０は利用者情報を図１の利用者認証手段２１により利用者情報管理データベース２６に登録し、オークション参加用の利用者認証情報としてユーザＩＤとパスワード情報を発行し（ステップＡ３）、利用者認証情報をユーザ端末１０Ａに送信する（ステップＡ４）。これでオークションへの利用者登録は完了する。
【００２０】
次に、オークションへの利用者登録が完了済みで、会員専用のオークション情報を利用したい利用者は、自分のそれぞれのユーザ端末１０Ａ〜１０Ｄを介して、オークション開催者がインターネットＮＷ上に開設しているオークションホームページにアクセスする（ステップＡ５）。さらに会員専用のオークション情報を利用するために利用者認証情報を送信して会員専用画面にアクセスする（ステップＡ６）。これに応答して、オークションシステム管理サーバ２０は図１の利用者認証手段２１により利用者認証を実施し（ステップＡ７）、会員であると認識した場合、アクセス許可通知をユーザ端末１０Ａ〜１０Ｄに送信する（ステップＡ８）。また、利用者認証情報が不正であると認識した場合には、アクセスを許可しない。アクセスを許可された利用者は会員専用のオークション参加画面である図５が表示される。
【００２１】
次に、オークションで購入希望商品の事前登録を希望する利用者は、会員専用のオークション参加画面である図５において、購入希望商品情報登録ボタン３１をマウスでクリックすると（ステップＡ９）、購入希望商品情報の登録が実施できるので、購入希望商品情報（商品名，希望価格，登録期間等）を作成し送信する（ステップＡ１０）。これに応答して、オークションシステム管理サーバ２０は購入希望商品情報を図１の購入希望商品情報制御手段２２ａにより購入希望商品登録データベース２８に登録し（ステップＡ１１）、登録の完了通知をユーザ端末１０Ｂに送信する（ステップＡ１２）。これでオークションでの購入希望商品の事前登録は完了する。
【００２２】
次に、オークションへ商品の出品希望する利用者は、会員専用のオークション参加画面である図５において、出品商品情報登録ボタン３３をマウスでクリックすると（ステップＡ１３）、出品商品情報の登録が実施できるので、出品商品情報（商品名，商品の説明，商品の画像データ，入札開始最低価格、落札最低価格等）を作成し送信する（ステップＡ１４）。これに応答して、オークションシステム管理サーバ２０は出品商品情報を図１の出品商品情報制御手段２２ｂにより出品商品登録データベース２８に登録し（ステップＡ１５）、管理ＩＤ（商品番号）を発行し、登録の完了通知をユーザ端末１０Ｄに送信する（ステップＡ１６）。また、オークションシステム管理サーバ２０は出品商品情報を元に図５のオークション参加画面に出品商品情報を追加して表示する。
これでオークションへの出品商品の登録は完了する。
【００２３】
次に、新たな出品商品情報が登録されるとオークションシステム管理サーバ２０は図１の登録情報分析制御手段２３により出品商品情報の商品名を基に購入希望商品登録データベース２７を検索する。この処理で条件に合致したデータを抽出すると（ステップＡ１７）、出品情報通知制御手段２４によりユーザＩＤから利用者情報管理データベース２６を検索して利用者の「電子メールアドレス」情報を取得し、その「電子メールアドレス」の利用者を宛先として「購入希望対象商品の出品情報」を作成しメールにて通知する（ステップＡ１８）。これで購入希望者へのオークション出品情報の通知は完了する。
図４を参照すると、オークションへ商品の出品希望する利用者で自分が出品する商品に関する購入希望登録状況を検索したい利用者は、会員専用のオークション参加画面である図５において、購入希望商品登録情報検索ボタン３２をマウスでクリックすると（ステップＢ１）、購入希望商品登録情報の検索が実施できるので、検索希望商品情報（商品名等のキーワード）を作成し送信する（ステップＢ２）。
【００２４】
これに応答して、オークションシステム管理サーバ２０は商品名等のキーワード情報を基に図１の購入希望商品情報制御手段２２ａにより購入希望商品登録データベース２７を検索する。この処理で条件に合致したデータを抽出すると（ステップＢ３）、購入希望者人数及び購入希望価格（最低・最高価格）情報を取得し、その情報をユーザ端末１０Ｃに送信する（ステップＢ４）。これで出品希望商品の検索は完了する。
【００２５】
次に、オークションの入札に参加を希望する利用者は、会員専用のオークション参加画面である図５において、入札参加ボタン３４をマウスでクリックすると（ステップＢ５）、図５で表示されている「オークション出品情報」に参加することができるので、オークション参加商品を選択して入札情報（購入希望価格情報）を作成し送信する（ステップＢ６）。これに応答して、オークションシステム管理サーバ２０は図１の入札情報制御手段２２ｃにより入札情報を入札情報登録データベース２９に登録し（ステップＢ７）、該商品の入札が締め切られると、入札情報登録データベース２９を検索し、最終落札者情報（落札者利用者ＩＤ，出品者利用者ＩＤ，商品名，商品番号，落札価格）を取得し（ステップＢ８）、図１の落札情報通知制御手段２５により落札者利用者ＩＤ，出品者利用者ＩＤを基に利用者情報管理データベース２６を検索し、落札者，出品者双方の「電子メールアドレス」を取得し、落札者に対しては「落札商品名、商品番号，落札価格,出品者情報（電子メールアドレス）」を基にした落札情報を電子メールにて通知する（ステップＢ９）。また、出品者に対しては「出品商品名，商品番号，落札価格，落札者情報（電子メールアドレス）」を基にした落札情報を電子メールにて通知する（ステップＢ１０）。これで出品者、落札者双方へのオークション落札情報の通知は完了する。
【００２６】
（２）第２実施例
発明の第２の実施例は、オークションへの参加を希望する利用者が、利用者登録を申請する際、利用者情報として、電子メールアドレスの代わりに住所や電話番号等別の通信手段を登録し、購入希望商品情報の事前登録も電話や手紙により実施するなど、他の通信手段を利用して実施し、購入希望商品が出品された際にオークション主催者が購入希望者に対して「購入希望対象商品の出品情報」を電話や手紙を利用して実施するなどの他の通信手段を利用して実施する場合である。この実施例ではネットワークを利用した通信手段が電話や手紙など他の通信手段に置き換わる点で第一の実施例と異なる。
【００２７】
以上のように、本実施例では、他の通信手段を利用しても、オークションで商品の購入を希望する利用者は、購入希望商品を事前に登録することができる。また、購入希望商品が出品された際には、購入希望者は、商品の出品情報をオークション主催者側より取得することができる。また、オークションに出品を希望する利用者は、オークション主催者側に出品を希望する商品の購入希望登録情報を問い合わせることにより、購入希望者数及び購入希望価格（最低・最高価格）情報を取得することができる。
【００２８】
【発明の効果】
以上説明したように本発明によれば、以下の効果を奏することができる。
第一の効果は、オークションで商品の購入を希望する利用者は、オークション主催者側より購入希望商品の出品情報が自動的に送られてきたタイミングで、オークションホームページにアクセスすることにより確実に該オークションにおける入札に参加できること、及び購入したい商品の出品状況を自分で調べる手間が省けることである。
その理由は、オークションで購入したい商品の情報を事前に登録するようにしたためである。
【００２９】
第二の効果は、オークションに出品を希望する利用者は、オークションに出品する前に出品商品の購入希望登録情報を検索することにより、出品する商品の人気（落札の可能性）及び購入希望価格帯の情報を得ることにより、出品する商品の応札状況をある程度予想できることである。
【図面の簡単な説明】
【図１】本発明の実施例のシステム構成図である。
【図２】同実施例におけるユーザ端末の機能ブロック図である。
【図３】同実施例におけるオークションへの参加を希望する利用者のフローチャートである。
【図４】同実施例におけるオークションへ商品の出品を希望する利用者のフローチャートである。
【図５】同実施例におけるユーザ端末に表示されるオークション参加画面である。
【符号の説明】
ＮＷ  ネットワーク
１０Ａ〜１０Ｄ  ユーザ端末
２０  オークションシステム管理サーバ
３０  オークション参加画面
【図１】
0004313933.tif 000002
【図２】
0004313933.tif 000003
【図３】
0004313933.tif 000004
【図４】
0004313933.tif 000005
【図５】
0004313933.tif 000006